(57)【要約】【課題】清掃のしやすく、かつ、施行時の工数（地中掘り方）を減らし、排水管の水勾配を任意に設定できる排水桝を提供することを目的とする。【解決手段】排水桝槽本体と、排水桝槽本体上部にゴミを取り除くバスケットと、排水桝槽本体底部から立ち上がるトラップ管と、前記トラップ管を覆うトラップキャップとを有する排水桝において、前記排水桝槽本体の底部から一側面にかけて設けられた透孔に、排水管がその上部を桝槽内に露出させて横方向に取り付けられており、桝槽内に露出した前記排水管の上部には、前記トラップ管の下端が連設されており、前記排水桝槽本体の底部には排水栓が設けられ、清掃時には排水栓を抜いて桝槽内部の水を前記横方向に取り付けられた排水管に流出させることを特徴とする排水桝を提供する。【選択図】図１
2012158885.tif 000002
【特許請求の範囲】
【請求項１】
排水桝槽本体と、
排水桝槽本体上部にゴミを取り除くバスケットと、
排水桝槽本体底部から立ち上がるトラップ管と、
前記トラップ管を覆うトラップキャップとを有する排水桝において、
前記排水桝槽本体の底部から一側面にかけて設けられた透孔に、排水管がその上部を桝槽内に露出させて横方向に取り付けられており、桝槽内に露出した前記排水管の上部には、前記トラップ管の下端が連設されており、
前記排水桝槽本体の底部には排水栓が設けられ、清掃時には排水栓を抜いて桝槽内部の水を前記横方向に取り付けられた排水管に流出させることを特徴とする。
【請求項２】
排水桝槽本体と、
排水桝槽本体上部にゴミを取り除くバスケットと、
排水桝槽本体底部から立ち上がるトラップ管と、
前記トラップ管を覆うトラップキャップとを有する排水桝において、
前記排水桝槽本体の底部には、側面視断面が長方形の排水管が桝槽本体底部の外面に沿って取り付けられており、前記側面視断面が長方形の排水管の一方端部と、前記トラップ管の下端部が前記排水桝槽本体の底部に設けられた透孔を介して連通し、前記側面視断面が長方形の排水管の他方端部は丸管形状をしており、
前記排水桝槽本体の底部には排水栓が設けられ、清掃時には排水栓を抜いて桝槽内部の水を前記桝槽外底に沿って取り付けられている排水管に流出させることを特徴とする。
【発明の詳細な説明】
【技術分野】
【０００１】
この発明は、業務用厨房や食品工場等に敷設して使用されるトラップ付き排水桝に関する。
【背景技術】
【０００２】
図４に示すように、側溝１からの排水が流れ込む排水桝槽本体２の底部には、一定の封水深を確保するために、底部から立ち上がるトラップ管３が設けられている。このトラップ管３は、係合管４を介して排水管５に螺着あるいは図示しないシール部材によって水密状に脱着可能に取り付けられている（特開２００２−３８５５６あるいは実用新案登録第３１０４６２５号）。
【０００３】
トラップキャップ６を、トラップ管３の上縁から一定高さ、かつトラップ管３の外周面と一定の隙間を確保してトラップ管３の上にかぶせ、槽本体２内に流入した排水は、バスケット７を経由して、トラップキャップ６の下端部と排水桝槽の底面との間の一定の隙間からトラップ管３の上縁をオーバーフローして排水管５に導かれる。
このとき、トラップ管３上縁とトラップキャップ６の下縁との距離が封水深で、最低５０ｍｍ以上確保することがSHASE-S（空気調和・衛生工学会規格）等で求められている。
【０００４】
トラップ管３の下につながる排水管５は、曲がり配管（エルボ管）を使用し、排水桝槽本体から一定長さ下方に向かった後、横方向に排水されるようになっている。排水桝槽本体２内を清掃するときは、トラップ管３をはずすことで、桝槽本体２内の水を完全に排水できるので、清掃がしやすく衛生管理に有利である。
【先行技術文献】
【特許文献】
【０００５】
【特許文献１】特開２００２−３８５５６
【特許文献２】実用新案登録第３１０４６２５号
【発明の概要】
【発明が解決しようとする課題】
【０００６】
排水桝槽本体２は、地中に埋設されるか、天井裏スペースに天吊されるのであるが、例えば図４に示すように、床8下に設けられた側溝１からの排水の流入を受けるべくシンダーコンクリート９、防水層１０、スラブコンクリート１１を貫通して埋設されることとなり、防水・耐火対策が欠かせない。さらに、横方向に伸びる排水管５は水勾配を考慮して敷設されるため、地中に埋設する場合は、地中深くまで掘る必要があり、また天吊の場合は、床下の天井裏スペース（電気配線や排気ダクトなどが配置されている）を広く要することとなり、排水管５の水勾配の自由度が減る。
そこで、本発明では、従来の利点（清掃のしやすさ）を活かしつつ、施工時の工数（地中掘り方）を減らし、かつ排水管の水勾配を任意に設定できる排水桝を提供することを目的とする。
【課題を解決するための手段】
【０００７】
上記課題を解決するものとして、排水桝槽本体と、排水桝槽本体上部にゴミを取り除くバスケットと、排水桝槽本体底部から立ち上がるトラップ管と、前記トラップ管を覆うトラップキャップとを有する排水桝において、前記排水桝槽本体の底部から一側面にかけて設けられた透孔に、排水管がその上部を桝槽内に露出させて横方向に取り付けられており、桝槽内に露出した前記排水管の上部には、前記トラップ管の下端が連設されており、前記排水桝槽本体の底部には排水栓が設けられ、清掃時には排水栓を抜いて桝槽内部の水を前記横方向に取り付けられた排水管に流出させることを特徴とする排水桝を提供する。
【０００８】
また上記課題を解決するものとして、排水桝槽本体の底部に設ける排水管を、側面視断面が長方形の排水管が桝槽外底に沿って取り付け、前記断面視長方形の排水管の一方端部と、トラップ管の下端部が前記排水桝槽本体の底部に設けられた透孔を介して連通させ、前記断面視長方形の排水管の他方端部は丸管形状となし、前記排水桝槽本体の底部には排水栓が設けられ、清掃時には排水栓を抜いて桝槽内部の水を前記桝槽外底に沿って取り付けられている排水管に流出させるようにしてもよい。
【発明の効果】
【０００９】
排水管を排水桝槽本体底部に横方向に直接取り付けることによって、排水桝全体の高さを抑えることができるため、地中に埋設する場合には、地中を掘る深さを浅くできるため工数が減り、天井裏スペースに天吊する場合には、スペースを節約できるため、水勾配を任意に設定できる利点がある。
【図面の簡単な説明】
【００１０】
【図１】本発明の第一実施例の断面斜視図である。
【図２】本発明の第二実施例の断面斜視図である。
【図３】本発明の第三実施例の斜視図である。
【図４】従来例の使用状態説明である。
【発明を実施するための形態】
【００１１】
以下、本発明の実施の形態を図面に基づいて説明する。尚、図面において従来例と同一の符号で表示した部分は、同一又は相当の部分を示している。
【００１２】
図１は、本発明の第一実施例の排水桝の断面斜視図であり、排水桝槽本体２の上部には、側溝から流入した排水の中のゴミを取り除くバスケット７が設けられている。排水桝槽本体２の底部には底から一側面にかけて透孔２´を設け、その透孔に横方向に配置した排水管１２の上部が排水桝槽の底部内に露出するように取り付けてある。
【００１３】
前記排水管１２は、排水桝槽本体の底部の中心部に端より取り付けられるのであるが、前記透孔２´は底中心部から排水が導かれる側の桝槽側面よりに設けられ、排水桝槽本体の底に排水管１２の上部を露出させる一方、排水が導かれない側の桝槽底には、排水管１２の上部を露出させることなく、桝槽底に排水孔を設けて、清掃時には排水栓１３を抜いて、排水を前記排水管１２に流出させるようにする。
【００１４】
桝槽底に露出した排水管１２の上部は、排水管１２の長手方向に沿って平面視長方形の透孔１２´を設けて、その透孔１２’に立ち上がり管である平面視長方形のトラップ管１４を設ける。そしてトラップキャップ１５を、トラップ管１４の上縁から一定高さ、かつトラップ管１４の外周面と一定の隙間を確保してトラップ管１４の上にかぶせるのであるが、トラップキャップ１５の長手方向（短幅）の両端１５aの下端部は、排水管１２の上部に近接して隙間が狭くなるため、十分な水量が流出しにくいが、短手方向の両端（長幅）の下端部１５ｂは、桝槽底との隙間を十分に確保して、十分な水量が流出できるようにされている。
【００１５】
図２は、本発明の第二実施例を示す斜視図である。排水桝槽本体底部に横方向に排水管を取り付けることは第一実施例と同じであるが、第二実施例での排水管１６は、排水桝槽本体２の底部に露出させるのではなく、排水桝槽外底に沿って側面視断面が長方形の排水管１６を取り付けるものとする。桝槽底部から立ち上がるトラップ管１７は、前記側面視断面が長方形の排水管１６の一方端部１６aを、前記トラップ管の下端部が前記排水桝槽本体の底部に設けられた透孔２‘を介して連通されている。そして前記排水管１６の他方端部は丸管形状１６ｂをしており、図示しない別の排水管に接続されるようになっている。
【００１６】
前記排水管１６は、排水桝全体の高さを抑えるため、排水桝槽外底に取り付けられる排水管の高さ（厚み）を抑えつつ、その幅を広くすることで十分な排水量を確保できるようになっている。下方で前記排水管１６aに連通されている前記トラップ管１７も、前記排水管１６と同じの断面積と同じかそれ以上の開口面積を有している。
そして、前記トラップ管１７から前記排水管１６に流出した排水は、流量を保ったまま丸管形状の他方端部１６ｂへと導かれる。
【００１７】
前記排水桝槽本体の底部には排水孔が設けられ、清掃時には排水孔の排水栓１８を抜いて桝槽内部の水を前記桝槽外底に沿って取り付けられている排水管１６に流出させる。
【００１８】
図３は、本発明の第三実施例を示す断面斜視図である。排水桝槽本体２の中央底部に円形の透孔２‘を設け、透孔２’から排水桝槽の中央底外部に係合管４を取り付けている。トラップ管３は、その下端部外周が、前記係合管４の内周面と水密状になるようにシール１９を介して着脱可能に嵌合されている。トラップキャップ６は、前記トラップ管３とその上縁と外周から一定間隔を確保しつつ、トラップ管３の開口部を覆っている。
【００１９】
排水桝槽本体２の中央底部の外側には、箱状の排水管接続部２０を設け、排水桝槽底直下に横方向に設置される排水管５に接続し、排水を導く。
【００２０】
第三実施例では、清掃時にはトラップ管３そのものを係合管４からはずすことで、排水桝槽内の水を完全に排水できる。
【符号の説明】
【００２１】
１      側溝
２      排水桝槽本体
３      トラップ管
４      係合管
５      排水管
６      トラップキャップ
７      バスケット
８      床
９      シンダーコンクリート
１０    防水層
１１    スラブコンクリート
１２    第一実施例の排水管
１３    第一実施例の排水栓
１４    第一実施例のトラップ管
１５    第一実施例のトラップキャップ
１６    第二実施例の排水管
１７    第二実施例のトラップ管
１８    第二実施例の排水栓
１９    第三実施例のシール
２０    第三実施例の排水管接続部
【図４】
2012158885.tif 000003
【図１】
2012158885.tif 000004
【図２】
2012158885.tif 000005
【図３】
2012158885.tif 000006